【手続補正書】
【提出日】平成19年7月26日(2007.7.26)
【手続補正１】
【補正対象書類名】特許請求の範囲
【補正対象項目名】全文
【補正方法】変更
【補正の内容】
【特許請求の範囲】
【請求項１】
第１の変調方式で変調されて伝送されたデジタル放送を第２の変調方式で再変調して再送信する再送信装置であって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換手段
を備えることを特徴とする再送信装置。
【請求項２】
第２の変調方式で再変調して再送信するデジタル放送の伝送周波数を再送信周波数として、
前記第２の告知情報は、再送信周波数の変更毎に更新されるバージョン番号を含み、
前記再送信装置は、さらに、
再送信周波数に係る第２の周波数情報を保持する保持手段を備え、
前記書換手段は、さらに、
（ａ）前記保持手段において第２の周波数情報が新たに保持された場合、
（ｂ）前記保持手段において保持されている第２の周波数情報が更新された場合、
（ｃ）前記保持手段において保持されている第２の周波数情報が削除された場合
のいずれかにおいて、前記バージョン番号を更新する
ことを特徴とする請求項１に記載の再送信装置。
【請求項３】
前記第１の告知情報は、前記第１の周波数情報の送出チャンネルに係る第１のチャンネル情報を含み、
前記第２の告知情報は、デジタル放送に前記第１の周波数情報を含めて送出しないことを示す第２のチャンネル情報を含み、
前記書換手段は、さらに、
前記第１のチャンネル情報を前記第２のチャンネル情報に書き換える
ことを特徴とする請求項１に記載の再送信装置。
【請求項４】
前記第１の告知情報は、前記第１の周波数情報の送出開始時刻に係る第１の時間情報を含み、
前記第２の告知情報は、再送信するデジタル放送の伝送周波数の更新作業が終了する時刻を示す第２の時間情報を含み、
前記書換手段は、さらに、
前記第１の時間情報を前記第２の時間情報に書き換える
ことを特徴とする請求項１に記載の再送信装置。
【請求項５】
前記書換手段は、さらに、
（ａ）第２の変調方式で再変調して再送信するデジタル放送の伝送周波数の更新作業が予定されていない場合、
（ｂ）第１の変調方式で変調されて伝送されたデジタル放送の全てが第２の変調方式で再変調されて再送信されていない場合
のいずれかにおいて、第１の変調方式で変調されて伝送されたデジタル放送に含まれる第１の告知情報を削除する
ことを特徴とする請求項１に記載の再送信装置。
【請求項６】
前記書換手段は、さらに、
第２の変調方式で再変調して再送信するデジタル放送のうち送出を停止するデジタル放送に割り当てられた識別子を前記第２の告知情報に含める
ことを特徴とする請求項１に記載の再送信装置。
【請求項７】
前記書換手段は、さらに、
前記再送信装置の設置個所に割り当てられた識別子を前記第２の告知情報に含める
ことを特徴とする請求項１に記載の再送信装置。
【請求項８】
前記第１の変調方式は、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ）であり、
前記第２の変調方式は、６４ＱＡＭ（６４  Ｑｕａｄｒａｔｕｒｅ  Ａｍｐｌｉｔｕｄｅ  Ｍｏｄｕｌａｔｉｏｎ）である
ことを特徴とする請求項１に記載の再送信装置。
【請求項９】
前記第１の周波数情報は、第１の変調方式で変調されて伝送されるデジタル放送の伝送周波数のリスト及び伝送周波数が変更された場合における変更情報が示された周波数リスト・変更情報であり、
前記第１の告知情報は、前記周波数リスト・変更情報の送出を告知する告知情報である
ことを特徴とする請求項１に記載の再送信装置。
【請求項１０】
前記第１の告知情報は、地上デジタルテレビジョン放送用のダウンロード告知用ＳＤＴＴ（Ｓｏｆｔｗａｒｅ  Ｄｏｗｎｌｏａｄ  Ｔｒｉｇｇｅｒ  Ｔａｂｌｅ）であり、
前記第２の告知情報は、デジタル有線テレビジョン放送用のスキャン告知用ＳＤＴＴである
ことを特徴とする請求項１から請求項９のいずれか１項に記載の再送信装置。
【請求項１１】
所定の変調方式で再変調されて再送信されたデジタル放送を受信する受信装置であって、
所定の変調方式で変調されて再送信されるデジタル放送の伝送周波数の変更が告知される情報を告知情報として、
所定の変調方式で変調されて伝送されたデジタル放送に含まれる前記告知情報が更新されていれば、受信可能な伝送周波数を探査する探査手段
を備えることを特徴とする受信装置。
【請求項１２】
所定の変調方式で変調されて再送信されるデジタル放送の伝送周波数を再送信周波数として、
前記告知情報は、再送信周波数の変更毎に更新されるバージョン番号を含み、
前記受信装置は、さらに、
前記告知情報を保持する第１保持手段を備え、
前記探査手段は、さらに、
前記第１保持手段において保持されている告知情報に含まれるバージョン情報を参照して、
所定の変調方式で変調されて再送信されるデジタル放送に含まれる告知情報のバージョン番号が更新されていれば、受信可能な伝送周波数を探査する
ことを特徴とする請求項１１に記載の受信装置。
【請求項１３】
前記告知情報は、再送信されるデジタル放送の周波数の更新作業が終了する時刻を示す時間情報を含み、
前記探査手段は、さらに、前記時間情報で特定される時間以降に探査する
ことを特徴とする請求項１１に記載の受信装置。
【請求項１４】
前記受信装置は、さらに、
受信可能な伝送周波数とチャンネル番号とを対応付けた受信設定情報を保持する受信設定保持手段を備え、
前記探査手段は、さらに、
探査した結果、前記受信設定情報に登録されていない伝送周波数を発見した場合には、発見した伝送周波数に係る情報を前記受信設定情報に登録する
ことを特徴とする請求項１１に記載の受信装置。
【請求項１５】
前記受信装置は、さらに、
受信可能な伝送周波数とチャンネル番号とを対応付けた受信設定情報を保持する受信設定保持手段を備え、
前記探査手段は、さらに、
探査した結果、前記受信設定情報に登録されている伝送周波数を発見しなかった場合には、発見しなかった伝送周波数に係る情報を前記受信設定情報から削除する
ことを特徴とする請求項１１に記載の受信装置。
【請求項１６】
前記受信装置は、さらに、
受信可能な伝送周波数とチャンネル番号とを対応付けた受信設定情報を保持する受信設定保持手段を備え、
前記探査手段は、さらに、
所定の変調方式で再変調されて再送信されるデジタル放送のうち送出が停止されるデジタル放送に割り当てられた識別子が前記告知情報に含まれる場合には、前記識別子から特定されるデジタル放送を受信する伝送周波数に係る情報を前記受信設定情報から削除する
ことを特徴とする請求項１１に記載の受信装置。
【請求項１７】
前記告知情報は、前記デジタル放送を再送信する再送信装置の設置個所毎に割り当てられた識別子を含み、
前記探査手段は、識別子毎に前記告知情報を管理する
ことを特徴とする請求項１１に記載の受信装置。
【請求項１８】
前記所定の変調方式は、６４ＱＡＭである
ことを特徴とする請求項１１に記載の受信装置。
【請求項１９】
再送信されるデジタル放送の伝送周波数のリスト及び伝送周波数が変更された場合における変更情報を周波数リスト・変更情報とし、
前記告知情報は、デジタル放送に前記周波数リスト・変更情報を含めて送出しないことを示すチャネル情報を含む告知情報である
ことを特徴とする請求項１１に記載の受信装置。
【請求項２０】
前記告知情報は、デジタル有線テレビジョン放送用のスキャン告知用ＳＤＴＴである
ことを特徴とする請求項１１から請求項１９のいずれか１項に記載の受信装置。
【請求項２１】
第１の変調方式で変調されて伝送されたデジタル放送を第２の変調方式で再変調して再送信する再送信装置と、第２の変調方式で再変調されて再送信されたデジタル放送を受信する受信装置とを有するデジタル放送システムであって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換手段と、
第２の変調方式で変調されて伝送されたデジタル放送に含まれる前記第２の告知情報が更新されていれば、受信可能な伝送周波数を探査する探査手段と
を備えることを特徴とするデジタル放送システム。
【請求項２２】
第１の変調方式で変調されて伝送されるデジタル放送を第２の変調方式で再変調して再送信する装置を制御する再送信制御方法であって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換ステップ
を含むことを特徴とする再送信制御方法。
【請求項２３】
所定の変調方式で再変調されて再送信されたデジタル放送を受信する受信装置を制御する受信制御方法であって、
所定の変調方式で変調されて再送信されるデジタル放送の伝送周波数の変更が告知される情報を告知情報として、
所定の変調方式で変調されて伝送されたデジタル放送に含まれる前記告知情報が更新されていれば、受信可能な伝送周波数を探査する探査ステップ
を含むことを特徴とする受信制御方法。
【請求項２４】
第１の変調方式で変調されて伝送されたデジタル放送を第２の変調方式で再変調して再送信する再送信装置と、第２の変調方式で再変調されて再送信されたデジタル放送を受信する受信装置とを有するデジタル放送システムを制御するデジタル放送制御方法であって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換ステップと、
第２の変調方式で変調されて伝送されたデジタル放送に含まれる前記第２の告知情報が更新されていれば、受信可能な伝送周波数を探査する探査ステップと
を含むことを特徴とするデジタル放送制御方法。
【請求項２５】
第１の変調方式で変調されて伝送されるデジタル放送を第２の変調方式で再変調して再送信する組込装置を制御する再送信制御プログラムであって、
第１の変調方式で変調されて伝送されるデジタル放送の伝送周波数に係る第１の周波数情報の送出を告知する情報を第１の告知情報とし、
第２の変調方式で再変調して再送信するデジタル放送の伝送周波数の変更を告知する情報を第２の告知情報として、
第１の変調方式で変調されて伝送されたデジタル放送に含まれる前記第１の告知情報を前記第２の告知情報に書き換える書換ステップ
を前記組込装置に実行させることを特徴とする再送信制御プログラム。
【請求項２６】
所定の変調方式で再変調されて再送信されたデジタル放送を受信する組込装置を制御する受信制御プログラムであって、
所定の変調方式で変調されて再送信されるデジタル放送の伝送周波数の変更が告知される情報を告知情報として、
所定の変調方式で変調されて伝送されたデジタル放送に含まれる前記告知情報が更新されていれば、受信可能な伝送周波数を探査する探査ステップ
を前記組込装置に実行させることを特徴とする受信制御プログラム。